(57)【要約】【課題】  揺動部材に滑らかかつ複雑な揺動動作をさせることができる玩具用揺動装置及び揺動玩具を提供すること。【解決手段】  ベース体に対して揺動部材を上下方向に揺動自在となるように軸支するとともに、前記揺動部材に磁石を設ける一方で前記ベース体に他の磁石を設け、前記揺動部材を初期停止位置から偏倚させると当該揺動部材に働く重力作用と磁力作用とに協働によって当該揺動部材が揺動動作を暫し継続するように構成したことを特徴とする。【選択図】  図２
2005152514.tif 000002
【特許請求の範囲】
【請求項１】
ベース体に対して揺動部材を上下方向に揺動自在となるように軸支するとともに、前記揺動部材に磁石を設ける一方で前記ベース体に他の磁石を設け、前記揺動部材を初期停止位置から偏倚させると当該揺動部材に働く重力作用と磁力作用とに協働によって当該揺動部材が揺動動作を暫し継続するように構成したことを特徴とする玩具用揺動装置。
【請求項２】
ベース体に対して２つの揺動部材を上下方向に揺動して羽ばたき自在となるように軸支するとともに、前記２つの揺動部材に磁石を設ける一方で前記ベース体に他の磁石を設け、前記２つの揺動部材の少なくとも一方を初期停止位置から偏倚させた際に前記２つの揺動部材に働く重力作用と磁力作用との協働によって当該２つの揺動部材が羽ばたき動作を暫し継続するように構成したことを特徴とする玩具用揺動装置。
【請求項３】
前記２つの揺動部材は重力作用によって前記磁石同士が接近するように構成され、前記磁石同士が接近した際に当該磁石同士の間に吸引力又は斥力が作用するように構成されていることを特徴とする請求項２に記載の玩具用揺動装置。
【請求項４】
前記他の磁石は電磁石であり、この電磁石の通電制御がされるように構成されていることを特徴とする請求項１から３いずれか一に記載の玩具用揺動装置。
【請求項５】
電源として太陽電池素子を設けたことを特徴とする請求項４に記載の玩具用揺動装置。
【請求項６】
請求項１から５いずれか一に記載の玩具用揺動装置を備え、前記揺動部材の上部は葉模型となっていることを特徴とする揺動玩具。
【発明の詳細な説明】
【技術分野】
【０００１】
本発明は、揺動部材の揺動を行わせるための玩具用揺動装置に関するものである。
【背景技術】
【０００２】
従来、玩具用揺動装置として、植物模型の葉模型部分に歯車機構を用いて揺動動作させるものが知られている。
【特許文献１】実公平７−４６３１０号公報
【発明の開示】
【発明が解決しようとする課題】
【０００３】
ところが、歯車機構を用いて葉模型部分を動作させる場合には葉模型部分の揺動動作がぎこちないばかりか、揺動動作が単調であり、実物の葉の揺れ方と遠くかけ離れたものとなる。カム等を用いて葉模型部分を動作させた場合にも同様である。
本発明は、かかる問題点を解決するためになされたもので、揺動部材に滑らかかつ複雑な揺動動作をさせることができる玩具用揺動装置及び揺動玩具を提供することを目的とする。
【課題を解決するための手段】
【０００４】
請求項１に記載の玩具用揺動装置は、ベース体に対して揺動部材を上下方向に揺動自在となるように軸支するとともに、前記揺動部材に磁石を設ける一方で前記ベース体に他の磁石を設け、前記揺動部材を初期停止位置から偏倚させると当該揺動部材に働く重力作用と磁力作用とに協働によって当該揺動部材が揺動動作を暫し継続するように構成したことを特徴とする。この場合、揺動部材に設ける磁石は電磁石であっても永久磁石であってもよい。ベース体に設ける磁石も同様である。ただし、揺動部材の揺動動作を長らく継続させたり、揺動部材に複雑な揺動動作をさせるためには、揺動部材に設ける磁石、ベース体に設ける磁石のうちの少なくとも１つを通電制御される電磁石とすることが好ましい。
【０００５】
請求項２に記載の玩具用揺動装置は、ベース体に対して２つの揺動部材を上下方向に揺動して羽ばたき自在となるように軸支するとともに、前記２つの揺動部材に磁石を設ける一方で前記ベース体に他の磁石を設け、前記２つの揺動部材の少なくとも一方を初期停止位置から偏倚させた際に前記２つの揺動部材に働く重力作用と磁力作用との協働によって当該２つの揺動部材が羽ばたき動作を暫し継続するように構成したことを特徴とする。この場合、２つの揺動部材に設ける磁石は電磁石であっても永久磁石であってもよい。ベース体に設ける磁石も同様である。ただし、揺動部材の揺動動作を長らく継続させたり、揺動部材に複雑な揺動動作をさせるためには、２つの揺動部材に設ける磁石、ベース体に設ける磁石のうちの少なくとも１つを通電制御される電磁石とすることが好ましい。
【０００６】
請求項３に記載の玩具用揺動装置は、請求項２に記載の玩具用揺動装置において、前記２つの揺動部材は重力作用によって前記磁石同士が接近するように構成され、前記磁石同士が接近した際に当該磁石同士の間に吸引力又は斥力が作用するように構成されていることを特徴とする。
【０００７】
請求項４に記載の玩具用揺動装置は、請求項１から３いずれか一に記載の玩具用揺動装置において、前記他の磁石は電磁石であり、この電磁石の通電制御がされるように構成されていることを特徴とする。
【０００８】
請求項５に記載の玩具用揺動装置は、請求項４に記載の玩具用揺動装置において、電源として太陽電池素子を設けたことを特徴とする。
【０００９】
請求項６に記載の揺動玩具は、請求項１から５いずれか一に記載の玩具用揺動装置を備え、前記揺動部材の上部は葉模型となっていることを特徴とする。
【発明の効果】
【００１０】
請求項１又は２に記載の玩具用揺動装置によれば、重力作用と磁力作用の協働によって揺動部材を動作させているため、揺動部材の揺動動作を円滑かつ複雑とすることができる。
【００１１】
請求項３に記載の玩具用揺動装置によれば、磁石同士が接近した際に磁石同士の間に吸引力又は斥力が作用するので、揺動部材の揺動動作をさらに複雑とすることができる。
【００１２】
請求項４に記載の玩具用揺動装置によれば、ベース体に設けられる磁石が電磁石であり、この電磁石の通電制御がされるので、揺動部材の揺動動作を長らく継続させたり、揺動部材に複雑な揺動動作をさせることができる。
【００１３】
請求項５に記載の玩具用揺動装置によれば、電源として太陽電池素子を設けたので、消エネに資することになる。
【００１４】
請求項６に記載の揺動玩具によれば、重力作用と磁力作用の協働によって揺動部材を動作させているため、葉模型部分の揺動動作を円滑かつ複雑とすることができ、実物に近い動作をさせることが可能となる。
【発明を実施するための最良の形態】
【００１５】
Ａ．実施形態
（全体構成）
図１は揺動玩具の外観を示す斜視図である。この揺動玩具１は植木鉢模型部分１０、土模型部分２０、葉模型部分３０を有している。このうち植木鉢模型部分１０と土模型部分２０はベース体を構成している。葉模型部分３０は上方に向けて双葉状に土模型部分２０から突出して設けられている。そして、この揺動玩具１では、葉模型部分３０を初期停止位置から偏倚させると葉模型部分３０が上下方向に揺動動作（羽ばたき動作）を暫し継続して行うようになっている。
以下、その詳細を説明する。
【００１６】
（詳細説明）
１．植木鉢模型部分１０の構成
植木鉢模型部分１０は硬質の合成樹脂から構成されている。図２に示すように、植木鉢模型部分１０の主体は、有底円筒状で上方に向けて拡開された構造の容体１１で構成されている。容体１１の内部には、葉模型部分３０を揺動動作させるための仕組み（揺動装置）が収納されている。
また、植木鉢模型部分１０は、容体１１の開口縁部に支持される天板１２を備えてなる。そして、この天板１２の上には土模型部分２０が載置されている。
【００１７】
容体１１の底には電磁コイル（電磁石）１３が設置されている。この電磁コイル１３はハット形のプレート１４の凸部に外嵌された状態で設けられている。
【００１８】
さらに、植木鉢模型１０には太陽電池素子（図示せず）、制御装置５１及び通電回路５２が設けられている。このうち太陽電池素子は土模型部分２０の外側に露出して設けられている。
【００１９】
２．土模型部分２０の構成
土模型部分２０は硬質又は軟質の合成樹脂から構成されている。図２に示すように、土模型部分２０の中央には穴２１が形成されている。そして、土模型部分２０の穴２１からは葉模型部分３０が上方に向けて突出している。穴２１は葉模型部分３０が揺動動作できる大きさとなっている。
【００２０】
３．葉模型部分３０の構成
葉模型部分３０は硬質又は軟質の合成樹脂から構成されている。葉模型部分３０は、軸３３を中心に揺動する揺動部材３２の上部を構成している。
【００２１】
４．揺動部材３２の構成
揺動部材３２の中位には軸３３が設けられている。軸３３は角棒状に構成されている。軸３３は、図４に示すように、天板１２の立板１２ａに設けられたＵ字状の切欠き１２ｂに臨入されている。立板１２にはまた突起１２ｃが付設され、この突起１２ｃにはトーションばね３４が掛けられている。そして、軸３３の角部（軸外周の隣接する２つの面で形成される稜線）にトーションばね３４の一端が下方から点接触することによって軸３３の支持がなされている。これにより揺動部材３２の揺動の際の摩擦抵抗を極力低減させることができる。
各揺動部材３２の下端部には図２に示すように円板状の重り３５が取り付けられている。重り３５は、揺動部材３２のうち軸３３よりも下側の部分が重く実質的に重りとなっている場合には特に設ける必要はない。
各揺動部材３２の下端には磁石３６が取り付けられている。磁石３６は、２つの揺動部材３２の磁石３６が近づいた際に磁石３６同士の間に斥力が作用するような配置となっている。また、磁石３６は、その下側に設置される電磁コイル１３からの磁力が作用するような配置となっている。そして、電磁コイル１３と磁石３６との間に働く斥力によって各揺動部材３２は葉模型部分３０が下方向に動作し、各揺動部材３２に働く重力によって、各揺動部材３２は葉模型部分３０が上方向に動作する。したがって、例えば電磁コイル１３と磁石３６との間に働く斥力を周期的に発生させるようにすれば、揺動部材３２は揺動動作を効果的に繰り返すことになる。
【００２２】
５．ロック機構６
揺動玩具１には、図５及び図６に示すように、葉模型部分３０を固定するためのロック機構６が設けられている。このロック機構６は植木鉢模型部分１０の底から露出するハンドル６０の回転によって動作するロック部材６１を備えている。ハンドル６０を一方向に回してロック部材６１を植木鉢模型部品１０の内周に沿って動作させると、揺動部材３２の下端に設けた突起３２ａがロック部材６１のＵ字状部分６１ａに入り込み、揺動部材３２がロックされる。一方、揺動部材３２がロックされた状態でハンドル６０を他方向に回してロック部材６１を植木鉢模型部品１０の内周に沿って動作させると、突起３２ａがロック部材６１のＵ字状部分６１ａから抜け出し、揺動部材３２のロックが解除される。
【００２３】
Ｂ．変形例
本願発明の揺動玩具１は、葉模型部分３０に作用する重力と磁石３６同士の間に作用する磁力とによって葉模型部分３０を揺動動作させるものである。この場合、葉模型部分３０、軸３３、揺動部材３２の重心、磁石３６の配置状態を変えることによって、本願発明は様々な形態を取り得る。軸３３の支持構造は特に限定はされないが揺動玩具１と同じである。
【００２４】
（１）第１種の変形例
図７（Ａ）〜（Ｅ）は重力作用によって葉模型部分３０が倒れる傾向を持つものであり、葉模型部分３０が下部近くで互いに交差し、葉模型部分３０の基端部に軸３３が存在している。また、揺動部材３２のうち軸３３より下側の部分が葉模型部分３０の下面に近づく方向に屈曲され、さらに重りよりも下側の部分が葉模型部分３０の下面から離れる方向に屈曲されている。
このうち図７（Ａ）は揺動部材３２の静止位置下側に、端面が上下に位置するように電磁コイル１３を設置したもので、磁石３６の斥力によって葉模型部分３０を起立させるように構成されている。
図７（Ｂ）は揺動部材３２の静止位置で、２つの磁石３６の間に電磁コイル３６を位置させるとともに磁石３６に対して電磁コイル１３の端面を対峙させたもので、磁石３６の斥力によって葉模型部分３０を起立させるように構成されている。
図７（Ｃ）は揺動部材３２の静止位置で、２つの磁石３６それぞれの外側に電磁コイル３６を位置させるとともに磁石３６に対して電磁コイル１３の端面を対峙させたもので、磁石３６の引力によって葉模型部分３０を起立させるように構成されている。
図７（Ｄ）は揺動部材３２の静止位置奥側で、端面が磁石３６側を向くように電磁コイル１３を設置したもので、磁石３６の斥力によって葉模型部分３０を起立させるように構成されている。
図７（Ｅ）は揺動部材３２の静止位置手前側及び奥側で、端面が磁石３６側を向くように２つの電磁コイル１３を設置したもので、磁石３６の斥力によって葉模型部分３０を起立させるように構成されている。
【００２５】
（２）第２種の変形例
図８（Ａ）〜（Ｅ）は重力作用によって葉模型部分３０が起立する傾向を持つものである。この第２種の変形例が第１種の変形例と異なる点は、葉模型部分３０が下部近くで交差していない点、揺動部材３２のうちの葉模型部分３０の基端部と重りとの間で交差している点、揺動部材３２のうち軸３３より下側の部分が葉模型部分３０の下面から離れる方向に若干屈曲されている点、重りよりも下側の部分が葉模型部分３０の下面に近づく方向に屈曲されている点である。
このうち図８（Ａ）は揺動部材３２の静止位置下側に、端面が上下に位置するように電磁コイル１３を設置したもので、磁石３６の引力によって葉模型部分３０を倒すように構成されている。
図８（Ｂ）は揺動部材３２の静止位置で、２つの磁石３６の間に電磁コイル３６を位置させるとともに磁石３６に対して電磁コイル１３の端面を対峙させたもので、磁石３６の引力によって葉模型部分３０を倒すように構成されている。
図８（Ｃ）は揺動部材３２の静止位置で、２つの磁石３６それぞれの外側に電磁コイル３６を位置させるとともに磁石３６に対して電磁コイル１３の端面を対峙させたもので、磁石３６の斥力によって葉模型部分３０を倒すように構成されている。
図８（Ｄ）は揺動部材３２の静止位置奥側で、端面が磁石３６側を向くように電磁コイル１３を設置したもので、磁石３６の引力によって葉模型部分３０を倒すように構成されている。
図８（Ｅ）は揺動部材３２の静止位置手前側及び奥側で、端面が磁石３６側を向くように２つの電磁コイル１３を設置したもので、磁石３６の引力によって葉模型部分３０を倒すように構成されている。
【００２６】
（３）第３種の変形例
図９（Ａ）〜（Ｅ）は重力作用によって葉模型部分３０が起立する傾向を持つものである。この第３種の変形例が第１種の変形例と異なる点は、揺動部材３２のうち軸３３より下側の重り設置部分までが屈曲されていない点、重りよりも下側の部分が葉模型部分３０の下面に近づく方向に屈曲され再度交差している点である。
このうち図９（Ａ）は揺動部材３２の静止位置下側に、端面が上下に位置するように電磁コイル１３を設置したもので、磁石３６の引力によって葉模型部分３０を倒すように構成されている。
図９（Ｂ）は揺動部材３２の静止位置で、２つの磁石３６の間に電磁コイル３６を位置させるとともに磁石３６に対して電磁コイル１３の端面を対峙させたもので、磁石３６の引力によって葉模型部分３０を倒すように構成されている。
図９（Ｃ）は揺動部材３２の静止位置で、２つの磁石３６それぞれの外側に電磁コイル３６を位置させるとともに磁石３６に対して電磁コイル１３の端面を対峙させたもので、磁石３６の斥力によって葉模型部分３０を倒すように構成されている。
図９（Ｄ）は揺動部材３２の静止位置奥側で、端面が磁石３６側を向くように電磁コイル１３を設置したもので、磁石３６の引力によって葉模型部分３０を倒すように構成されている。
図９（Ｅ）は揺動部材３２の静止位置手前側及び奥側で、端面が磁石３６側を向くように２つの電磁コイル１３を設置したもので、磁石３６の引力によって葉模型部分３０を倒すように構成されている。
【００２７】
（４）第４種の変形例
図１０（Ａ）〜（Ｅ）は重力作用によって葉模型部分３０が倒れる傾向を持つものである。この第４種の変形例が第１種の変形例と異なる点は、揺動部材３２が交差していない点、重りよりも下側の部分が葉模型部分３０の下面から離れる方向に僅かに屈曲している点である。
このうち図１０（Ａ）は揺動部材３２の静止位置下側に、端面が上下に位置するように電磁コイル１３を設置したもので、磁石３６の斥力によって葉模型部分３０を起立させるように構成されている。
図１０（Ｂ）は揺動部材３２の静止位置で、２つの磁石３６の間に電磁コイル３６を位置させるとともに磁石３６に対して電磁コイル１３の端面を対峙させたもので、磁石３６の斥力によって葉模型部分３０を起立させるように構成されている。
図１０（Ｃ）は揺動部材３２の静止位置で、２つの磁石３６それぞれの外側に電磁コイル３６を位置させるとともに磁石３６に対して電磁コイル１３の端面を対峙させたもので、磁石３６の引力によって葉模型部分３０を起立させるように構成されている。
図１０（Ｄ）は揺動部材３２の静止位置奥側で、端面が磁石３６側を向くように電磁コイル１３を設置したもので、磁石３６の斥力によって葉模型部分３０を起立させるように構成されている。
図１０（Ｅ）は揺動部材３２の静止位置手前側及び奥側で、端面が磁石３６側を向くように２つの電磁コイル１３を設置したもので、磁石３６の斥力によって葉模型部分３０を起立させるように構成されている。
【００２８】
（５）第５種の変形例
図１１（Ａ）〜（Ｅ）は重力作用によって葉模型部分３０が起立する傾向を持つものである。この第５種の変形例が第１種の変形例と異なる点は、揺動部材３２のうち軸３３より下側の部分が葉模型部分３０が葉模型部分３０の下面から離れる方向に僅かに屈曲されている点である。
このうち図１１（Ａ）は揺動部材３２の静止位置下側に、端面が上下に位置するように電磁コイル１３を設置したもので、磁石３６の斥力によって葉模型部分３０を倒すように構成されている。
図１１（Ｂ）は揺動部材３２の静止位置で、２つの磁石３６の間に電磁コイル３６を位置させるとともに磁石３６に対して電磁コイル１３の端面を対峙させたもので、磁石３６の斥力によって葉模型部分３０を倒すように構成されている。
図１１（Ｃ）は揺動部材３２の静止位置で、２つの磁石３６それぞれの外側に電磁コイル３６を位置させるとともに磁石３６に対して電磁コイル１３の端面を対峙させたもので、磁石３６の引力によって葉模型部分３０を倒すように構成されている。
図１１（Ｄ）は揺動部材３２の静止位置奥側で、端面が磁石３６側を向くように電磁コイル１３を設置したもので、磁石３６の斥力によって葉模型部分３０を倒すように構成されている。
図１１（Ｅ）は揺動部材３２の静止位置手前側及び奥側で、端面が磁石３６側を向くように２つの電磁コイル１３を設置したもので、磁石３６の斥力によって葉模型部分３０を倒すように構成されている。
【００２９】
（６）第６種の変形例
図１２（Ａ）〜（Ｅ）は重力作用によって葉模型部分３０が起立する傾向を持つものであり、揺動部材３２が軸３３の下側で交差するとともに、軸３３の下側部分がほぼ直線状となっているものである。
このうち図７（Ａ）は前記実施形態の形に近いもので、揺動部材３２の静止位置下側に、端面が上下に位置するように電磁コイル１３を設置したもので、磁石３６の斥力によって葉模型部分３０を倒すように構成されている。
図１２（Ｂ）は揺動部材３２の静止位置で、２つの磁石３６の間に電磁コイル３６を位置させるとともに磁石３６に対して電磁コイル１３の端面を対峙させたもので、磁石３６の斥力によって葉模型部分３０を倒すように構成されている。
図１２（Ｃ）は揺動部材３２の静止位置で、２つの磁石３６それぞれの外側に電磁コイル３６を位置させるとともに磁石３６に対して電磁コイル１３の端面を対峙させたもので、磁石３６の引力によって葉模型部分３０を倒すように構成されている。
図１２（Ｄ）は揺動部材３２の静止位置奥側で、端面が磁石３６側を向くように電磁コイル１３を設置したもので、磁石３６の斥力によって葉模型部分３０を倒すように構成されている。
図１２（Ｅ）は揺動部材３２の静止位置手前側及び奥側で、端面が磁石３６側を向くように２つの電磁コイル１３を設置したもので、磁石３６の斥力によって葉模型部分３０を倒すように構成されている。
【００３０】
Ｃ．展示ケース
図１３には上記揺動玩具１の展示ケースが１００が示されている。この展示ケース１００は、特に限定はされないが、３つの透明パーツから構成されている。すなわち、この展示ケース１００は前側ケース片１０１、後側ケース片１０２及びベース板１０３から構成され、それらは透明プラスチックによって構成されている。
【００３１】
展示ケース１００は前方から見ると円の下部を円弧状に切り欠いた形となっている。符号１２０がその切欠き部分を指示している。展示ケース１００は側方から見ると、前面及び後面は僅かに外側に膨出するように湾曲した形となっている。また、展示ケース１００は側方から見た場合、下部が凹状に形成されている。すなわち、展示ケース１００は側方から見た場合、左右に脚部１０４が設けられている。
【００３２】
前側ケース片１０１と後側ケース片１０２は、その一方に設けられたピン１０５と他方に設けられたピン穴１０６とを嵌合させることによって相互に組み付けられる。前側ケース片１０１と後側ケース片１０２を組み付けた状態を下側から見ると、矩形開口が形成された形となっている。この矩形開口はベース板１０３によって閉塞される。
【００３３】
ベース板１０３は、揺動玩具１が着座する平面部１０８と、平面部１０８の前後に設けられた垂れ板１０９とを持つ。平面部１０８の中央には、揺動玩具１の植木鉢部分１０の底に嵌合する凸部１０７が付設されている。凸部１０７の中央には円形の穴１１０が形成され、揺動玩具１が着座した際にその穴１１０からハンドル６０が露出するように構成されている。また、凸部１０７の外周には２箇所に弧状突片１１２が付設されている。この２つの弧状突片１１２は、揺動玩具１を所定の向きでベース板１０３に載せた後に回転させることによって、植木鉢部分１０の底に設けた溝（図示せず）に嵌合し、これによって揺動玩具１が固定されることになる。また、ベース板１０３の垂れ板１０９の中央部分は、前記切欠き部分１２０とほぼ同じ曲率で弧状に切り欠かれている。そして、その切欠き部の両側にはほぼ三角状の突起１１１が設けられている。この２つの突起１１１は、前記脚部１０４の内側に設けられたポケット１１２に入り込むようにされている。
【００３４】
以上に説明した展示ケース１００への揺動玩具１の収納は、特に限定はされないが、ベース板１０３に揺動玩具１を固定した後、ベース板１０３の前側の突起１１１を前側ケース片１０１又は後側ケース片１０２の一方のポケット１１２に入れた後、前側ケース片１０１又は後側ケース片１０２の他方の上部を前記一方の上部に対して少し開き気味にしてベース板１０３の後側の突起１１１とのポケット１１２を合致させ、その後に前側ケース片１０１及び後側ケース片１０２の上部を閉じるようにして展示ケース１００内に揺動玩具１を収納する。これによって、揺動玩具１を展示ケース１００に入れた状態で飾ることができる。
【００３５】
また、この展示ケース１００は図１４に示すように複数段に積むこともできる。すなわち、前側ケース片１０１及び後側ケース片１０２にはその上部の前後に、前記脚部１０４に合致する段部１１５が形成されているので、一の展示ケース１００を他の展示ケース１００の上に載せた際には脚部１０４が段部１１５とが嵌り合い、下側の展示ケース１００の上に上側の展示ケース１００を安定して載せることができる。
【００３６】
従来は、特開２００３−１８０４８９号公報に示されるように、形象物を多数収納展示できる展示用ケースを複数段積み重ねていたが、小さな形象物単品を収納できる展示用ケースで安定的に複数段に重ねられるものは存在しなかった。しかし、上記のような展示用ケースとすれば、形象物単品を収納できる展示用ケースであっても安定的に複数段に積み重ねることができる。すなわち、上側の展示用ケースの脚部を下側の展示用ケースの段部に載せることで安定的に積み重ねることができる。
【００３７】
以上の玩具用揺動装置及び展示ケースは様々な揺動玩具の揺動や、物品の展示に適用できる。
【図面の簡単な説明】
【００３８】
【図１】第１の実施形態の揺動玩具の斜視図である。
【図２】図１の揺動玩具における植木鉢模型部分を一部切り欠いた状態の正面図である。
【図３】図１の揺動玩具の内部回路のブロック図である。
【図４】図１の揺動玩具における揺動部材の軸の支持構造を示す図である。
【図５】図１の揺動玩具における植木鉢模型部分を一部切り欠いた状態の正面図である。
【図６】図１の揺動玩具のロック機構を示す斜視図である。
【図７】第１種の変形例を示す図である。
【図８】第２種の変形例を示す図である。
【図９】第３種の変形例を示す図である。
【図１０】第４種の変形例を示す図である。
【図１１】第５種の変形例を示す図である。
【図１２】第６種の変形例を示す図である。
【図１３】展示ケースの分解斜視図である。
【図１４】展示ケースを積み重ねた状態を示す図である。
【符号の説明】
【００３９】
１  揺動玩具
１０  植木鉢模型部分
１３  電磁コイル
２０  土模型部分
３０  葉模型部分
３２  揺動部材
３３  軸
３６  磁石
【図１】
2005152514.tif 000003
【図２】
2005152514.tif 000004
【図３】
2005152514.tif 000005
【図４】
2005152514.tif 000006
【図５】
2005152514.tif 000007
【図６】
2005152514.tif 000008
【図７】
2005152514.tif 000009
【図８】
2005152514.tif 000010
【図９】
2005152514.tif 000011
【図１０】
2005152514.tif 000012
【図１１】
2005152514.tif 000013
【図１２】
2005152514.tif 000014
【図１３】
2005152514.tif 000015
【図１４】
2005152514.tif 000016